(57)【要約】【課題】プレハブ工法に使用され水平方向に隣り合う２つの間に生ずる段差を解消するための下地パネル、及び水平方向に隣り合う２つの間に生ずる段差を解消することができる下地パネルセットを提供する。【解決手段】下地パネル１は、軽量鉄骨造の外壁に使用されるものである。下地パネルは、断面が矩形の棒である一対の縦桟１１ａ，１１ａを対向する２辺とする矩形に形成された枠３と、板による１つ又は複数の面材２と、を有する。枠は、縦桟における一対の縦桟の並び方向に直交する方向を向く面に、縦桟に沿って板状の縦胴縁１４ａ，１４ａが固定されている。縦胴縁は、これを固定する縦桟から他方の縦桟とは反対側の外方にはみ出している。面材は、縦胴縁におけるはみ出し部分ＰＬの全部またははみ出し部分における他方の縦桟の反対側の一部を露出させて縦胴縁に固定されている。【選択図】図１
2014118744.tif 000002
【特許請求の範囲】
【請求項１】
軽量鉄骨造の外壁に使用可能な下地パネルであって、
断面が矩形の棒である一対の縦桟を対向する２辺とする矩形に形成された枠と、
板による１つ又は複数の面材と、を有し、
前記枠は、前記縦桟における前記一対の縦桟の並び方向に直交する方向を向く面に、前記縦桟に沿って板状の縦胴縁が固定されており、
前記縦胴縁は、これを固定する前記縦桟から他方の前記縦桟とは反対側の外方にはみ出しており、
前記面材は、前記縦胴縁における前記反対側へのはみ出し部分の全部または前記はみ出し部分における前記反対側の一部を露出させて前記縦胴縁に固定されている
ことを特徴とする下地パネル。
【請求項２】
請求項１に記載の下地パネルと、
施工時に水平方向に隣り合う前記下地パネルを連結する連結部材と、で構成され、
前記連結部材は、
前記はみ出し部分における前記面材側の面を押さえつける押さえ部材と、
前記はみ出し部分における前記縦桟側の面を押さえつける受け部材と、
前記押さえ部材を前記受け部材に接近させる接近手段と、を有する
ことを特徴とする下地パネルセット。
【請求項３】
前記押さえ部材および前記受け部材はいずれも板材が加工されて形成されており、
前記押さえ部材は、
前記はみ出し部分に当たる面が平らで互いに離れて位置する、前記面材側の面を押さえつけるための一対の押さえ部と、
離れて位置する前記一対の押さえ部の間でこれらに連続し、前記受け部材側に凹む凹部と、を備え、
前記接近手段は、前記凹部と前記受け部材とを接近させるように形成された
請求項２に記載の下地パネルセット。
【発明の詳細な説明】
【技術分野】
【０００１】
本発明は、工場で生産された部材を現場で組み立てて家屋等を建築するプレハブ工法に使用される外壁用の下地パネルおよび下地パネルセットに関する。
【背景技術】
【０００２】
建築に活用される軽量鉄骨造は、いわゆるプレハブ工法であり施工期間が短く、また工場生産等による品質の安定的確保等の利点を有する。プレハブ工法では、その軽量鉄骨造の柱、梁、桁等の建材が別の場所で加工され、施工場所に運搬されて組み立てられる。軽量鉄骨造では、柱の間隔等が規格化されており、外壁用の下地パネルについても、大きさが標準化されたものが工場等で製造され建物に施工される（特許文献１）。
【０００３】
外壁の下地パネルは、標準化され汎用性が高いことから、製造後直ちに使用されずに在庫されることがあり、在庫中に反りを生ずるものが多い。下地パネルに生ずる反りは、１つごとにその程度が異なり、外壁に施工されたときに横（水平）方向に隣り合う下地パネル間に段が形成されると、これらの表面への外装パネルの取り付けに支障が生ずる。
ところで、軽量鉄骨造における外壁用のパネル間の段差についても、従来問題とされており、施工時に生ずる外壁用のパネル間の段差を解消する技術が種々提案されている（特許文献２、特許文献３）。
【０００４】
特許文献２に提案された技術は、隣り合う２つの壁パネルの段差を、縦目地において壁下地（胴縁）に固定された調整金具で解消するものである。調整金具は、壁下地（胴縁）に固定される調整金具本体および調整金具本体に対して段差方向に移動可能な１対の調整用プレートで形成される。１対の調整用プレートは、それぞれ異なる壁パネルにおける背面端部（壁下地側を向く面）または各対向する面に設けた嵌合凹所に作用し、調整用プレートの段差方向における位置が個別に調整されることにより、隣り合う壁パネル表面を一致させる。
【０００５】
特許文献３に提案された技術は、隣り合う２つの壁パネルの段差に対して外力を加えて段差を無くした状態で、これらの近接する対向面部分に下穴を形成し、断面円形の外周に螺旋突起を備えた係止部材をねじ入れて、螺旋突起によって段差解消状態を維持するものである。
【先行技術文献】
【特許文献】
【０００６】
【特許文献１】特開２００５−４８３９５号公報
【特許文献２】特開平１０−２６６４１３号公報
【特許文献１】特開２００５−９７８４８号公報
【発明の概要】
【発明が解決しようとする課題】
【０００７】
上述したように、特許文献２および特許文献３には、水平方向に隣り合う壁パネルの段差を解消する技術が提案されている。
しかし、これらに提案された技術は、既に施工された壁下地に対して外壁パネルを取り付けるときに用いられるもの（特許文献２）、または上下方向の両端が梁に拘束され上下方向の端縁が極めて近接する外壁パネル（ＡＬＣパネル等）に適用されるものであり、既設の壁下地が存在せず、上下方向の端縁が近接しない下地パネルに生ずる段差の解消にそのまま適用することはできない。
【課題を解決するための手段】
【０００８】
本発明に係る下地パネルは、軽量鉄骨造の外壁に使用されるものである。下地パネルは、断面が矩形の棒である一対の縦桟を対向する２辺とする矩形に形成された枠と、板による１つ又は複数の面材と、を有する。枠は、縦桟における一対の縦桟の並び方向に直交する方向を向く面に、縦桟に沿って板状の縦胴縁が固定されている。縦胴縁は、これを固定する縦桟から他方の縦桟とは反対側の外方にはみ出している。面材は、縦胴縁におけるはみ出し部分の全部またははみ出し部分における他方の縦桟の反対側の一部を露出させて縦
胴縁に固定されている。
【０００９】
本発明に係る下地パネルセットは、上記下地パネルと、施工時に水平方向に隣り合う２つの下地パネルを連結する連結部材と、で構成される。連結部材は、縦桟のはみ出し部分における面材側の面を押さえつける押さえ部材と、このはみ出し部分における縦桟側の面を押さえつける受け部材と、押さえ部材を受け部材に接近させる接近手段と、を有する。
押さえ部材および受け部材は、いずれも板材が加工されて形成される。押さえ部材は、はみ出し部分に当たる面が平らで互いに離れて位置し面材側の面を押さえつけるための一対の押さえ部と、離れて位置する一対の押さえ部の間でこれらに連続し受け部材側に凹む凹部と、を備える。接近手段は、凹部と受け部材とを接近させるように形成されている。
【発明の効果】
【００１０】
本発明によると、プレハブ工法に使用され水平方向に隣り合う２つの間に生ずる段差を解消するための下地パネル、および水平方向に隣り合う２つの間に生ずる段差を解消することができる下地パネルセットを提供することができる。
【図面の簡単な説明】
【００１１】
【図１】図１は下地パネルの概略図である。
【図２】図２は下地パネルの四隅近傍を拡大した図である。
【図３】図３は連結部材の概略図である。
【図４】図４は建物への下地パネルの取り付けの様子を示す図である。
【図５】図５は下地パネルの取り付け後の様子を示す図である。
【図６】図６は隣り合う下地パネルの隙間の様子を示す断面図である。
【図７】図７はスペーサーの働きを示す図である。
【図８】図８は窓枠を取り付けるための下地パネルの木枠を示す図である。
【図９】図９は窓枠用の下地パネルの概略図である。
【図１０】図１０は窓枠用の下地パネルの建物への取り付け後の様子を示す図である。
【発明を実施するための形態】
【００１２】
図１は下地パネル１の概略図、図２は下地パネル１の四隅近傍を拡大した図である。
図１において、（ａ）は下地パネル１を面材２側から見た図（正面図）、（ｃ）は（ａ）の反対側から見た図（背面図）、（ｂ）は（ｃ）を上から見た図（平面図）、（ｄ）は（ａ）の左側面図、（ｅ）は（ｃ）を下から見た図（裏面図）である。
図２において、（ａ）の左半分は図１（ｂ）の左半分の部分図であり右半分は（ｃ）のＡ−Ａ矢視部分断面図、（ｂ）は図１（ｄ）の上下端近傍、（ｃ）の左半分は図１（ｅ）の左半分の部分図であり右半分は（ｃ）のＢ−Ｂ矢視部分断面図である。
【００１３】
下地パネル１は、木枠３および面材２からなる。
木枠３は、２本の細縦桟１１ａ，１１ａ、縦桟１１ｂ、上横桟１２、下横桟１３および３つの縦胴縁１４ａ，１４ａ，１４ｂで形成される。
細縦桟１１ａは、断面形状が細長い矩形の棒状の木材である。縦桟１１ｂは、断面形状が矩形であり、長さが細縦桟１１ａに等しい棒状の木材である。縦桟１１ｂは、その矩形断面の長辺の長さＬ１が細縦桟１１ａの長辺と同じで、短辺の長さＬ２が細縦桟１１ａの短辺の長さＬ３よりも大きい。
【００１４】
上横桟１２は、２本の同じ長さで厚さが異なる木の角材がそれぞれの厚さ方向に重ねられたものである。下横桟１３は、上横桟１２と同じ長さの木の角材と、この木材の厚さ方向に、これよりも短い木の角材がその厚さ方向を直交させて重ねられたものである。下横桟１３における長い方の木材および上横桟１２の２つの木材は同じ長さであって、これらの矩形断面の１つの辺（長辺）同士は、同じ長さである。この辺同士の同じ長さは、細縦桟１１ａ、縦桟１１ｂの矩形断面の長辺Ｌ１に等しい。上横桟１２および下横桟１３の長さは、細縦桟１１ａおよび縦桟１１ｂに比べて短い。
【００１５】
２本の細縦桟１１ａ，１１ａおよび上横桟１２、下横桟１３は、前者を長辺、後者を短辺とする対向する矩形形状の枠に組まれている。縦桟１１ｂは、２本の細縦桟１１ａ，１１ａの中間でこれらに平行に配されて上横桟１２および下横桟１３を連結する。細縦桟１
１ａ，１１ａおよび上横桟１２、下横桟１３の連結は、釘等により行われる。
縦胴縁１４ａ，１４ｂは、細長く切断された木の厚板であり、その長さは細縦桟１１ａ等と同じである。３つのうち１つの縦胴縁１４ｂの幅は他の２つの縦胴縁１４ａ，１４ａの幅よりも大きい。幅の広い縦胴縁１４ｂは、幅方向の両側をはみ出させその長手方向を縦桟１１ｂの長手方向に一致させて縦桟１１ｂの矩形断面の一方の短辺となる面に固定される。他の２つの縦胴縁１４ａ，１４ａは、それぞれ異なる一方の細縦桟１１ａにおける縦胴縁１４ｂの固定側と同じ側の面に、その幅方向両側をはみ出させて固定される。
【００１６】
したがって、縦胴縁１４ｂの幅は、縦桟１１ｂの断面矩形の短辺Ｌ２よりも大きく、縦胴縁１４ａの幅は、細縦桟１１ａの矩形断面の短辺Ｌ１よりも大きい。このときの縦胴縁１４ａ，１４ａが外方（縦桟１１ｂとは逆方向）にはみ出す寸法ＰＬは、２０ｍｍである。このはみ出し寸法ＰＬは、１５〜２５ｍｍが採用される。
縦胴縁１４ａ，１４ｂの縦桟１１ｂ等への固定は、釘と接着剤とが併用される。
【００１７】
面材２は、矩形の合板であり、その長辺は細縦桟１１ａの長さに等しく、その短辺は上横桟１２の長さに等しい。面材２は、その矩形における幅方向（短辺方向）両側の端面をいずれも細縦桟１１ａの外方側面（矩形断面の長辺）に揃えて（図２（ａ），（ｃ））、縦胴縁１４ａ，１４ａ，１４ｂに固定される。面材２の縦胴縁１４ａ，１４ａ，１４ｂへの固定は、釘および接着剤により行われる。
【００１８】
下地パネル１は、複数のスペーサー１５，…，１５を備える。スペーサー１５は、縦胴縁１４ａ，１４ｂよりも厚さが薄い矩形の板材である。スペーサー１５は、上横桟１２および下横桟１３における縦胴縁１４ａ，１４ｂの延長位置に固定される（図２）。
図３は連結部材４の概略図、図４は建物への下地パネル１の取り付けの様子を示す図、図５は下地パネル１の取り付け後の様子を示す図、図６は隣り合う下地パネル１，１の隙間の様子を示す断面図、図７はスペーサー１５の働きを示す図である。
【００１９】
図５（ｂ）は（ａ）の一点鎖線で囲まれた部分ＡＲの拡大図であり、図６（ａ），（ｂ）はそれぞれ図５（ｂ）のＣ−Ｃ矢視断面図、Ｄ−Ｄ矢視断面図である。また、図７（ａ）は図４および図５における切断面Ｃｓ１における断面図、図７（ｂ）は図４および図５における切断面Ｃｓ２における断面図である（図４および図５は隣り合う下地パネルの構成が異なるが、対象部分の構造は同じである）。
【００２０】
連結部材４は、押さえ板２１（以下「押板２１」と記す）、受け板２２（以下「受板２２」と記す）、六角ボルト２３等で構成される。
押板２１は、矩形の金属板の長手方向中央に、断面形状が「コ」字状の幅方向に横断する凹部３１を有する。この凹部３１の形状は、プレス加工により、矩形金属板の長手方向中央部分を一方の表面側から外方に突出させて形成される。凹部３１は、その底が平らな四角形であり、底の中央を貫通する貫通孔３２を備える。凹部３１の一方の表面側における突出の程度、つまり凹部３１の突出側を向く外面と押部３３の外面との距離Ｄｐは、縦胴縁１４ａの板厚よりも若干小さくなるように設計される。
【００２１】
貫通孔３２は、後述する六角ボルト２３が自在に挿入可能な大きさである。
押板２１は、その長手方向における凹部３１の両側が、同一平面に属する平らな押さえ部３３，３３（以下「押部３３」と記す）となっている。
押部３３における凹部３１が突出する側の平らな表面は、その押板２１長手方向における寸法Ｗ１が、下地パネル１における縦胴縁１４ａ，１４ａが外方にはみ出す寸法ＰＬ以下に設計される。寸法Ｗ１の値は、１５〜２０ｍｍである。この寸法Ｗ１は、凹部３１と押部３３との連続部分に存在するＲ（湾曲）部分が除かれた、平らな面におけるものである。
【００２２】
なお、押部３３は、縦胴縁１４ａの一部に強い力が加わることのないように全体として平らであれば、凹凸は許容される。
押板２１の長手方向に直交する方向の寸法、すなわち押板２１の幅Ｗ２は、３５〜４０ｍｍである。
受板２２は、矩形の金属板である。受板２２は、その重心位置で厚さ方向に貫通するねじ孔３４を備える。ねじ孔３４は、バーリング加工後の立ち上がり部分に雌ねじが設けら
れたものである。受板２２は、長辺の長さおよび短辺の長さ（幅）がいずれも押板２１の長手方向における長さＤおよび幅Ｗ２に等しい。
【００２３】
六角ボルト２３は、受板２２のねじ孔３４における雌ねじに嵌め合い（螺合）可能なものである。
次に、軽量鉄骨造の建物への下地パネル１の施工について説明する。
図４を参照して、下地パネル１，…，１は、上横桟１２が梁７ａ，７ｂにボルト等（図示せず）により吊り下げられて支持される。下地パネル１は、隣り合う角型鋼管による柱（鉄骨柱）８，８の間を塞ぐように梁７ａ，７ｂに取り付けられる。鉄骨柱８は、窓の有無、建物の間取りとの関係で、そのスパンに長短があり、スパンの長短等により幅が異なる下地パネル１，１ａ，１ｂが用いられる。例えば、図１に示される下地パネル１を基本スパンとすると、２スパンの幅を有する下地パネル１ａ、半スパンの幅を有する下地パネル１ｂ等である（図５（ａ））。いずれの下地パネル１ａ，１ｂも、基本スパンの下地パネル１と同様に、両端の縦桟（縦桟は細縦桟１１ａ、縦桟１１ｂいずれであってもよい）に取り付けられた縦胴縁が、縦桟から幅方向両側に所定の寸法だけはみ出している。
【００２４】
梁７ａ，７ｂに支持されて横に隣り合う下地パネル１，１は、それぞれの幅方向端で互いに対向する縦胴縁１４ａ，１４ａが２つの連結部材４，４により連結される。下地パネル１，１が連結部材４，４により連結される位置は、その長手方向の３分する境界付近である。
連結部材４は、連結前に、六角ボルト２３の雄ねじ側を、ばね座金２４、平座金２５、および押板２１の貫通孔３２をこの順に貫通させ、受板２２のねじ孔３４の雌ねじに嵌め合わされる。このとき、押板２１は、凹部３１が受板２２側になって受板２２と受板２２とに距離が生ずるように配慮される（図３）。
【００２５】
図６（ａ）を参照して、六角ボルト２３が緩められた状態で、一方の押部３３と受板２２との間に、隣り合う一方の下地パネル１における縦胴縁１４ａの外方へのはみ出し部分Ｐｔ１が収容され、他方の押部３３と受板２２との間に、隣り合う一方の下地パネル１における縦胴縁１４ａの外方へのはみ出し部分Ｐｔ２が収容される。
続いて六角ボルト２３が適度な強さで受板２２のねじ孔３４に対して締め付けられる。このとき、横（水平）方向に隣り合う下地パネル１，１に生じた段差は、それぞれの下地パネル１が、連結部材４における異なる一方の押部３３により押板２１側に押し付けられて、その程度が問題ならない程度に減少し、または解消される。
【００２６】
連結部材４における押部３３の各寸法Ｗ１，Ｗ２は、六角ボルト２３の締め付け強度（トルク）との関係で、縦胴縁１４ａを押板２１側に押し付けるときに縦胴縁１４ａに食い込まない、または縦胴縁１４ａを破損させない程度の寸法が採用される（同一締め付け強度の場合、縦胴縁１４ａ単位面積当たりに加わる力はＷ１×Ｗ２に反比例する）。上述したＷ１，Ｗ２の寸法は、縦胴縁１４ａ単位面積当たりに過大な力が加わらないように考慮して決定されたものである。
【００２７】
連結部材４，４により連結された隣り合う下地パネル１，１に生ずる隙間は、複数の縦目地板４１ａ，４１ｂ，４１ｃによって塞がれる。縦目地板４１ａ，４１ｂ，４１ｃは、長さが使用状況により適宜変更されるが、断面の形態、材料等は同じである。
縦目地板４１ａ（，４１ｂ，４１ｃ）は、図６（ｂ）を参照して、下地パネル１の縦胴縁１４ａ，１４ｂと略同じ厚さの基部４２、および下地パネル１の面材２と略同じ厚さで基部４２よりも幅が狭い表層部４３からなる。縦目地板４１ａ（，４１ｂ，４１ｃ）は、木材で形成される。
【００２８】
図４に示される縦目地板４１ａ，４１ｂ，４１ｃは、３つを長手方向に連ねた長さが、下地パネル１における縦胴縁１４ａ，１４ｂの長さよりも小さく、これらの差は、連結部材４における押板２１の幅Ｗ２の２倍よりもわずかに大きい。縦目地板４１ａ，４１ｂ，４１ｃは、下地パネル１，１を連結する連結部材４，４が設けられた部分を除く下地パネル１，１の隙間に嵌め入れられ、縦胴縁１４ａ，１４ａのはみ出し部分Ｐｔ１，Ｐｔ２に、釘および接着剤により固定される。
【００２９】
下地パネル１の面材２における水平端縁とさらにその上の部材との水平方向に細長い隙
間には、例えば隙間の幅に応じた幅の軒下目地板４４が隙間を塞ぐように取り付けられる。また、梁７ｂを挟んで上下に隣り合う下地パネル１，１の間に生じた比較的幅の大きな水平方向に延びた隙間には、幅の広い胴差目地板４５，４５が隙間を塞ぐように取り付けられる。
【００３０】
図７を参照して、上横桟１２および下横桟１３に取り付けられたスペーサー１５，…，１５は、その厚さＴ１が、縦胴縁１４ａ，１４ｂの厚さＴ２よりも小さく設定される（Ｔ１＜Ｔ２）。この設定により、例えば下地パネル１の上方に軒下目地板４４が取り付けられると、軒下目地板４４は、スペーサー１５には密着するが（図７（ａ））、上横桟１２とは密着せずに隙間を生じさせる（図７（ｂ））。この隙間は、面材２と木枠３とで囲まれた空間と外部とを連通させ、下地パネル１の内部に結露が生ずることを防止する。
【００３１】
図８は窓枠を取り付けるための下地パネル１Ｂの木枠３Ｂを示す図、図９は下地パネル１Ｂの概略図、図１０は下地パネル１Ｂの建物への取り付け後の様子を示す図である。
なお、図８（ａ）は各縦胴縁および横胴縁を取り付ける前の各横桟、縦桟による枠組みを示す正面図である。図１０において（ａ）は図９におけるＣ−Ｃ矢視断面図、（ｂ）は図９におけるＤ−Ｄ矢視断面図である。
【００３２】
下地パネル１Ｂは、木枠３Ｂおよびそれぞれが一対の小面材２Ｂａ，２Ｂａ、大面材２Ｂｂ，２Ｂｂからなる。
木枠３Ｂは、２本の縦桟１１Ｂ，１１Ｂ、３本の上縦桟１１Ｂａ，１１Ｂａ，１１Ｂａ、３本の下縦桟１１Ｂｂ，１１Ｂｂ，１１Ｂｂ、上横桟１２Ｂ、２本の中横桟１６Ｂ，１６Ｂ、下横桟１３Ｂ、２つの上長縦胴縁１７Ｂａ，１７Ｂａ、３つの上短縦胴縁１７Ｂｂ，１７Ｂｂ，１７Ｂｂ、２つの下長縦胴縁１８Ｂａ，１８Ｂａ、３つの下短縦胴縁１８Ｂｂ，１８Ｂｂ，１８Ｂｂ、２つの中縦胴縁１８Ｂｃ，１８Ｂｃおよび２つの横胴縁１９Ｂ，１９Ｂで形成される。
【００３３】
木枠３Ｂは、２本の縦桟１１Ｂ，１１Ｂを長辺とし、上横桟１２Ｂおよび下横桟１３Ｂを短辺とする、形状が矩形の枠である。縦桟１１Ｂは、断面形状が細長い矩形の棒状の木材である。上横桟１２Ｂおよび下横桟１３Ｂは、上述した下地パネル１の木枠３における上横桟１２および下横桟１３よりも長さが長い点を除き、上横桟１２および下横桟１３と同じ構成である。上横桟１２Ｂおよび下横桟１３Ｂは、下地パネル１Ｂに取り付ける窓枠（サッシュ枠）の横寸法よりわずかに長い。縦桟１１Ｂ、上横桟１２Ｂおよび下横桟１３Ｂは、これらの矩形断面における長辺の伸びる方向が、取り付ける建物の内外方向となるようにして、組み立てられる。
【００３４】
中横桟１６Ｂ，１６Ｂは、断面が矩形の棒状木材である。中横桟１６Ｂ，１６Ｂは、上横桟１２Ｂと下横桟１３Ｂとのあいだで取り付け予定の窓枠の高さに相当する間隔をあけて、それぞれその両端が２つの縦桟１１Ｂ，１１Ｂの互いに異なる一方に固定される。上横桟１２Ｂと上方の中横桟１６Ｂとの距離は、下横桟１３Ｂと下方の中横桟１６Ｂとの距離より小さい。
【００３５】
上横桟１２Ｂと上方の中横桟１６Ｂとは、３本の上縦桟１１Ｂａ，１１Ｂａ，１１Ｂａで連結されている。３本の上縦桟１１Ｂａ，１１Ｂａ，１１Ｂａは、等間隔に配される。下横桟１３Ｂと下方の中横桟１６Ｂとは、３本の下縦桟１１Ｂｂ，１１Ｂｂ，１１Ｂｂで連結される。３本の上縦桟１１Ｂａ，１１Ｂａ，１１Ｂａ、および３本の下縦桟１１Ｂｂ，１１Ｂｂ，１１Ｂｂは、いずれも等間隔に配される。
【００３６】
中横桟１６Ｂ、上縦桟１１Ｂａおよび下縦桟１１Ｂｂは、いずれも断面形状が矩形の棒状の木材であり、これらの断面の長辺の向きは、縦桟１１Ｂの矩形断面の長辺に揃えられる。
上長縦胴縁１７Ｂａ、上短縦胴縁１７Ｂｂ、下長縦胴縁１８Ｂａ、下短縦胴縁１８Ｂｂ、および横胴縁１９Ｂは、細長く切断された木の厚板であってそれぞれの断面形状は略等しい。中縦胴縁１８Ｂｃは、これらと厚さが略等しく、幅が狭い木の厚板である。
【００３７】
上長縦胴縁１７Ｂａは、縦桟１１Ｂにおける上横桟１２Ｂとの接続端から上側の中横桟１６Ｂとの接続部分まで、その幅方向の両側を縦桟１１Ｂからはみ出させて固定されている。
一方の横胴縁１９Ｂは、上側の中横桟１６Ｂにおける内方（下）を向く面にその側面が揃えられ、この側面の反対側が上横桟１２Ｂ側にはみ出して、上側の中横桟１６Ｂに固定されている。
【００３８】
上短縦胴縁１７Ｂｂは、上縦桟１１Ｂａにおける上横桟１２Ｂとの連結部分から横胴縁１９Ｂまでの部分に固定されている。
下長縦胴縁１８Ｂａは、縦桟１１Ｂにおける下横桟１３Ｂとの接続端から下側の中横桟１６Ｂとの接続部分まで、その幅方向の両側を縦桟１１Ｂからはみ出させて固定されている。
【００３９】
他方の横胴縁１９Ｂは、下側の中横桟１６Ｂにおける内方（上）を向く面にその側面が揃えられ、この側面の反対側が下横桟１３Ｂ側にはみ出して、下側の中横桟１６Ｂに固定されている。
下短縦胴縁１８Ｂｂは、下縦桟１１Ｂｂにおける下横桟１３Ｂとの連結部分から他方の横胴縁１９Ｂまでの部分に固定されている。
【００４０】
中縦胴縁１８Ｂｃは、縦桟１１Ｂにおける上長縦胴縁１７Ｂａおよび下長縦胴縁１８Ｂａを固定する部分以外の部分に、その内方を向く側面を縦桟１１Ｂに揃え、この側面の反対側を外方にはみ出させて、縦桟１１Ｂに固定されている。
図９を参照して、小面材２Ｂａは、２本の縦桟１１Ｂ，１１Ｂ、上横桟１２Ｂおよび下横桟１３Ｂで形成される矩形の短辺の略半分の長さの長辺と、上側の横胴縁１９Ｂの下方を向く端面から上長縦胴縁１７Ｂａの上端までの距離を短辺とする、矩形の合板である。一対の小面材２Ｂａ，２Ｂａは、それぞれが矩形断面の長辺の端縁の一方を上側の横胴縁１９Ｂの下方を向く端面に揃え、矩形断面の短辺の一方をそれぞれが互いに異なる一方の縦桟１１Ｂにおける外方を向く端面に揃えて、木枠３Ｂ（上長縦胴縁１７Ｂａ、上短縦胴縁１７Ｂｂ、横胴縁１９Ｂ）に固定される。したがって、両側の上長縦胴縁１７Ｂａ，１７Ｂａは、外方側の端が小面材２Ｂａに覆われずに所定の幅ＰＬで帯状に露出する。
【００４１】
大面材２Ｂｂは、小面材２Ｂａの矩形における１辺と同じ長さの対向する２辺と、下側の横胴縁１９Ｂの上方を向く端面から下長縦胴縁１８Ｂａの下端までの距離を対向する２辺とする、矩形の合板である。大面材２Ｂｂの板厚は、下地パネル１における面材２および小面材２Ｂａの板厚に略等しい。
一対の大面材２Ｂｂ，２Ｂｂは、一対の小面材２Ｂａ，２Ｂａと同様にして木枠３Ｂ（下長縦胴縁１８Ｂａ、下短縦胴縁１８Ｂｂ、横胴縁１９Ｂ）に取り付けられる。両側の下長縦胴縁１８Ｂａ，１８Ｂａは、外方側の端が大面材２Ｂｂに覆われずに所定の幅ＰＬで帯状に露出する。
【００４２】
両側の中縦胴縁１８Ｂｃ，１８Ｂｃのそれぞれには、縦桟１１Ｂの断面矩形の短辺と同じ幅、大面材２Ｂｂと同じ厚さ、および中縦胴縁１８Ｂｃと同じ長さの帯状の面部材２０Ｂが、その両端を縦桟１１Ｂの断面矩形の長辺に揃えて固定されている。
下地パネル１Ｂは、下地パネル１におけると同じ複数のスペーサー１５，…，１５を備える。
【００４３】
下地パネル１Ｂと下地パネル１とが水平方向に隣り合うときにも、下地パネル１同士が隣り合う場合と同様に、これらに生ずる段差を連結部材４，４により減少または解消させることができる。すなわち、図１０（ａ）を参照して、下地パネル１Ｂの窓枠９を取り付ける矩形の空間部分においては、連結部材４における一方の押板２１の押部３３と受板２２との間に、下地パネル１Ｂの中縦胴縁１８Ｂｃの外方へのはみ出し部分Ｐｔ２が収容される。連結部材４における他方の押部３３と受板２２との間には、下地パネル１において中縦胴縁１８Ｂｃに対向する縦胴縁１４ａにおける中縦胴縁１８Ｂｃ側へのはみ出し部分Ｐｔ１が収容される。
【００４４】
連結部材４は、事前に六角ボルト２３、ばね座金２４、平座金２５、押板２１および受板２２が組み上げられること、六角ボルト２３が緩められた状態でそれぞれのはみ出し部分Ｐｔ１，Ｐｔ２を収容すること、および六角ボルト２３が適度な強さで受板２２のねじ孔３４に対して締め付けられることは、上述した下地パネル同士の連結と同じである。連結部材４は、六角ボルト２３の締め付けにより、下地パネル１Ｂおよび下地パネル１のう
ち上下で反りの程度が大きい一方を、これを収容する側の押部３３が他方の反りの程度が小さな下地パネル側に押し戻すことにより、段差を減少させ、または解消させる。
【００４５】
下地パネル１Ｂにおける面材（小面材２Ｂａ、大面材２Ｂｂ）を有する部分における下地パネル１間との、段差を解消させるための連結部材４による連結も、上述した下地パネル同士の連結（図６（ｂ）参照）と同様に行われる。
連結部材４，４により連結された隣り合う下地パネル１Ｂ，１に生ずる隙間は、複数の縦目地板４１ａ，４１ｂ，４１ｃによって塞がれる（図９）。
【００４６】
上述の実施形態において、下地パネル１には、その一部に木材以外の材料が使用されたものも含まれる。
その他、下地パネル１，１ａ，１ｂ，１Ｂおよび連結部材４、並びに下地パネル１，１ａ，１ｂ，１Ｂおよび連結部材４の各構成または全体の構造、形状、寸法、個数、材質などは、本発明の趣旨に沿って適宜変更することができる。
【産業上の利用可能性】
【００４７】
本発明は、工場で生産された部材を現場で組み立てて家屋等を建築するプレハブ工法に使用される外壁用の下地パネルおよび下地パネルセットに利用することができる。
【符号の説明】
【００４８】
１，１ａ，１ｂ，１Ｂ  下地パネル
２  面材
２Ｂａ  小面材（面材）
２Ｂｂ  大面材（面材）
３，３Ｂ  木枠（枠）
４  連結部材
１１ａ  細縦桟（縦桟）
１１Ｂ  縦桟
１４ａ  縦胴縁
１７Ｂａ  上長縦胴縁（縦胴縁）
１８Ｂａ  下長縦胴縁（縦胴縁）
１８Ｂｃ  中縦胴縁（縦胴縁）
２０Ｂ  面部材（面材）
２１  押さえ板（押板、押さえ部材）
２２  受け板（受板、受け部材）
２３  六角ボルト（接近手段）
２４  ばね座金（接近手段）
２５  平座金（接近手段）
３１  凹部
３３  押さえ部（押部）
３４  ねじ孔（接近手段）
【図１】
2014118744.tif 000003
【図２】
2014118744.tif 000004
【図３】
2014118744.tif 000005
【図４】
2014118744.tif 000006
【図５】
2014118744.tif 000007
【図６】
2014118744.tif 000008
【図７】
2014118744.tif 000009
【図８】
2014118744.tif 000010
【図９】
2014118744.tif 000011
【図１０】
2014118744.tif 000012